Podtech/llm-jp-corpus-v4-ja_patent huggingface dataset:
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
P型半導体材料と、N型半導体材料と、第一溶媒及び第二溶媒を含む２種以上の溶媒とを含むインク組成物であって、
P型半導体材料が下記式（Ｉ−１）で表される構成単位または下記式（ＩＩ−１）〜（ＩＩ−６）で表される構成単位を含む高分子化合物であり；
【化１】
2017197765.tif 000001
（式中、Ｚは（Ｚ−１）〜（Ｚ−７）で示される２価の基を表す。）
【化２】
2017197765.tif 000002
（式中、Ｘ１及びＸ２は、それぞれ独立に、酸素原子または硫黄原子を表し、Ｒは、水素原子、ハロゲン原子、アルキル基、アリール基、アルコキシ基、アリールオキシ基、アルキルチオ基、アリールチオ基、１価の複素環基、置換アミノ基、アシル基、イミン残基、置換アミド基、酸イミド基、置換カルボキシル基、アルケニル基、アルキニル基、シアノ基またはニトロ基を表す。Ｒが複数ある場合、それらは同一でも異なっていてもよい。）
第一溶媒が芳香族炭化水素溶媒であって、第一溶媒の重量が全溶媒中最大であり；
第一溶媒及び第二溶媒の重量の合計が該インク組成物が含む全溶媒を１００重量％として７０重量％以上であり；
第一溶媒の沸点が第二溶媒の沸点より低く；
第一溶媒の沸点が120℃以上400℃以下であり；かつ
第一溶媒の水素結合ハンセン溶解度パラメータH1(MPa0.5)と第二溶媒の水素結合ハンセン溶解度パラメータH2（MPa0.5）が、0.5≦(H2-H1)≦5.0の関係にあるインク組成物。
【請求項２】
第一溶媒がトルエン、o-キシレン、m-キシレン、p-キシレン、プソイドクメン、1,2,3,5-テトラメチルベンゼン、エチルベンゼン、n-ヘキシルベンゼンまたはシクロヘキシルベンゼン、もしくは、第二溶媒が塩素溶媒、エーテル溶媒、芳香族炭化水素溶媒、プロピオフェノンまたはエステル溶媒である請求項１に記載のインク組成物。
【請求項３】
第二溶媒の重量が、第一溶媒の重量と同量又は全溶媒中二番目に大きい、請求項１または２に記載のインク組成物。
【請求項４】
第一溶媒の極性ハンセン溶解度パラメータP1(MPa0.5)と第二溶媒の極性ハンセン溶解度パラメータP2（MPa0.5）が、1.0≦(P2-P1)≦9.0の関係にある請求項１〜３のいずれか一項に記載のインク組成物。
【請求項５】
第二溶媒がエーテル溶媒、芳香族炭化水素溶媒、ケトン溶媒またはエステル溶媒である請求項１〜４のいずれか一項に記載のインク組成物。
【請求項６】
請求項１〜５のいずれか一項に記載のインク組成物を用いて成膜した薄膜。
【請求項７】
第１の電極と第２の電極とを有し、前記第１の電極及び前記第２の電極の間に活性層として請求項６に記載の薄膜を有する有機光電変換素子。
【請求項８】
請求項７に記載の有機光電変換素子を有する太陽電池モジュールまたはセンサー。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
作動ケーブル（２８）と、
前記作動ケーブル（２８）が少なくとも周囲の一部に巻き付けられた駆動ケーブルプーリ（５８）が中に取付けられたハウジング（５４）と、
前記駆動ケーブルプーリ（５８）を駆動する駆動部（２４）と、を備え、
前記作動ケーブル（２８）の過負荷を検知するための負荷検出装置（１１）を更に備え、
前記ハウジング（５４）は、回動軸（１２）で回動可能となるように取付けられ、前記ハウジングの回動動作を検知するためのセンサー（１３）が提供され、前記作動ケーブル（２８）は、駆動ケーブルプーリ（５８）の周囲に、巻き付け角度３００度未満で巻かれている、ことを特徴とするエンドレス・ケーブル・ウインチ。
【請求項２】
請求項１に記載のエンドレス・ケーブル・ウインチにおいて、
前記ハウジング（５４）は、第１端で回動可能に取付けられ、第２端において伸張要素（１４）でつるされている、ことを特徴とするエンドレス・ケーブル・ウインチ。
【請求項３】
請求項２に記載のエンドレス・ケーブル・ウインチにおいて、
前記伸張要素（１４）はバネ要素の形式である、ことを特徴とするエンドレス・ケーブル・ウインチ。
【請求項４】
請求項１乃至３のいずれか一項に記載のエンドレス・ケーブル・ウインチにおいて、
前記センサー（１３）は、軌跡センサー、伸縮センサー、接触センサー、圧電センサー、磁気センサー又は動作センサーの形式である、ことを特徴とするエンドレス・ケーブル・ウインチ。
【請求項５】
請求項１乃至４のいずれか一項に記載のエンドレス・ケーブル・ウインチにおいて、
前記センサー（１３）が反応するとき、駆動部（２４）が遮断される、ことを特徴とするエンドレス・ケーブル・ウインチ。
【請求項６】
請求項１乃至５のいずれか一項に記載のエンドレス・ケーブル・ウインチにおいて、
前記センサー（１３）が反応すると、例えば警告信号を出力するために、過負荷状態を示す信号が出力される、ことを特徴とするエンドレス・ケーブル・ウインチ。
【請求項７】
請求項１乃至６のいずれか一項に記載のエンドレス・ケーブル・ウインチにおいて、
前記作動ケーブル（２８）は、駆動ケーブルプーリ（５８）の周囲に、好ましくは２６０度から２８０度で、特に好ましくは２７０度で巻かれている、ことを特徴とするエンドレス・ケーブル・ウインチ。
【請求項８】
請求項１乃至７のいずれか一項に記載のエンドレス・ケーブル・ウインチにおいて、
安全ケーブル（１６）と共に安全装置（３０）が提供され、
前記安全装置（３０）は、ハウジング（５４）に回動可能に取付けられ、少なくとも周囲の一部に前記安全ケーブル（１６）が巻き付けられた非駆動ケーブルプーリ（６８）を備え、
ブレーキ（７１）を介してケーブルプーリ（６８）に接続され、前記安全ケーブル（１６）における少なくとも一方向の所定の速さで固定し、前記ブレーキ（７１）により前記安全ケーブル（１６）を制動する拘束装置（３１）を更に備える、ことを特徴とするエンドレス・ケーブル・ウインチ。
【請求項９】
請求項８に記載のエンドレス・ケーブル・ウインチにおいて、
前記拘束装置（３１）は、安全ケーブル（１６）の所定の速さにおいて、爪（３４）がラチェットホイール（３２）にラッチされるように、ハウジング（５４）に取付けられた爪（３４）と相互作用するラチェットホイール（３２）を備える、ことを特徴とするエンドレス・ケーブル・ウインチ。
【請求項１０】
請求項８又は９に記載のエンドレス・ケーブル・ウインチにおいて、
前記爪（３４）は、第１爪アーム（３８）及び第２爪アーム（４０）を有し、
前記爪（３４）はこれらの間でハウジング（５４）に回動可能に取付けられ、
前記爪（３４）は、第１爪アーム（３８）が前記所定の速さまで前記ラチェットホイールに沿って動くことができ、安全ケーブル（１６）の下方向における速さが、前記所定の速さを超えるとき、前記第２爪アーム（４０）で前記ラチェットホイール（３２）にラッチするように、前記ラチェットホイールに対し予め負荷がかけられている、ことを特徴とするエンドレス・ケーブル・ウインチ。
【請求項１１】
請求項８乃至１０のいずれか一項に記載のエンドレス・ケーブル・ウインチにおいて、
前記拘束装置（３１）の応答を示すセンサー（４４）が提供される、ことを特徴とするエンドレス・ケーブル・ウインチ。
【請求項１２】
請求項８乃至１１のいずれか一項に記載のエンドレス・ケーブル・ウインチにおいて、
前記ブレーキ（７１）は、円錐ブレーキの形式である、ことを特徴とするエンドレス・ケーブル・ウインチ。
【請求項１３】
請求項８乃至１２のいずれか一項に記載のエンドレス・ケーブル・ウインチにおいて、
前記ラチェットホイール（３２）は、ケーブルプーリ（６８）の内側円錐（７４）に対してバネ荷重がかけられた外側円錐（７２）を有している、ことを特徴とするエンドレス・ケーブル・ウインチ。
【請求項１４】
請求項８乃至１３のいずれか一項に記載のエンドレス・ケーブル・ウインチにおいて、
駆動ケーブルプーリ（５８）及びケーブルプーリ（６８）は、共通のハウジング（５４）に取付けられている、ことを特徴とするエンドレス・ケーブル・ウインチ。
【請求項１５】
請求項１乃至１４のいずれか一項に記載のエンドレス・ケーブル・ウインチにおいて、
少なくとも駆動ケーブルプーリ（５８）又はケーブルプーリ（６８）は、作動ケーブル（２８）又は安全ケーブル（１６）を付勢する付勢装置（５６，４８）を備える、ことを特徴とするエンドレス・ケーブル・ウインチ。
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
炎症に関与する細胞への抗アポトーシスシグナルを抑制するための組成物であって、エクトイン、ヒドロキシエクトインおよび／またはこれらの化合物の塩を含み、前記抗アポトーシスシグナルの抑制が、炎症の治療または予防におけるものであり、前記炎症が、慢性閉塞性肺疾患、ＡＲＤＳ、嚢胞性線維症、肺線維症、珪肺症、サルコイドーシス、または気管支過敏症に関係するものである、組成物。
【請求項２】
前記炎症に関与する細胞が、好中性顆粒球、マクロファージ、好酸性顆粒球、好塩基性顆粒球、肥満細胞、リンパ球、類上皮細胞、および樹枝状細胞からなる群より選択される、請求項１記載の組成物。
【請求項３】
前記炎症が慢性炎症である、請求項１または２記載の組成物。
【請求項４】
少なくともコルチコステロイドを含む、請求項１から３いずれか１項記載の組成物。
【請求項５】
前記コルチコステロイドがグルココルチコイドである、請求項４記載の組成物。
【請求項６】
前記グルココルチコイドが、デキサメタゾン、ブデソニド、ベタメタゾン、トリアムシノロン、フルオコルトロン、メチルプレドニゾロン、デフラザコート、プレドニゾロン、プレドニゾン、クロプレドノール、コルチゾン、ヒドロコルチゾン、フルオコルチン、クロコルトロン、クロベタゾン、アルクロメタゾン、フルメタゾン、フルオプレドニデン、フルオランドレノロン、プロドニカルベート、モメタゾン、メチルプレドニゾロン、フルチカゾン、ハロメタゾン、フルオシノロン、ジフロラゾン、デスオキシメタゾン、フルオシノニド、フルドロコルチゾン、デフラザコート、リメキソロン、クロプレドノール、アムシノニド、ハルシノニド、ジフルコルトロン、クロベタゾール、もしくはこれらの化合物の内の１つの塩、エステル、アミド、溶媒和物または水和物である、請求項５記載の組成物。
【請求項７】
浮遊粒子状物質の影響に起因する肺疾患を除く肺疾患の治療または予防のための組成物であって、エクトイン、ヒドロキシエクトインおよび／またはこれらの化合物の塩を含み、前記肺疾患が、慢性閉塞性肺疾患または気管支過敏症である、組成物。
【請求項８】
吸入可能な組成物である、請求項１から７いずれか１項記載の組成物。
【請求項９】
肺疾患の予防および／または治療に適用するための組成物の配合剤であって、
・  エクトイン、ヒドロキシエクトインおよび／またはそれら化合物の塩を含む第１の組成物、および
・  コルチコステロイドを含む第２の組成物、
を少なくとも含み、
前記肺疾患が、慢性閉塞性肺疾患、ＡＲＤＳ、嚢胞性線維症、肺線維症、珪肺症、サルコイドーシスまたは気管支過敏症であり、
前記組成物が短期間で投与するために提供される、配合剤。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
帯板を溶融金属浴に案内した後、上方に案内することにより、前記帯板に溶融金属のめっきを施す溶融金属めっき設備において、
上方に案内された前記帯板の表面側と裏面側に相対向して配置され、前記帯板の板幅方向に広がると共に、前記帯板内の第１の衝突点に向けて、第１の気流を吹き付ける１対のワイピングノズルと、
前記ワイピングノズルより上方かつ前記帯板より板幅方向外側の両側方の各々において、前記帯板の板幅方向外側の延長面の表面側と裏面側に相対向して配置され、前記延長面内かつ前記第１の衝突点より下方の第２の衝突点に向けて、第２の気流を吹き付ける１対の外側ノズルとを有し、
前記１対の外側ノズルは、ガスカーテンを形成するように前記第２の気流を吹出す、前記帯板の板幅方向に長い形状の吹出口を有する
ことを特徴とする溶融金属めっき設備。
【請求項２】
請求項１に記載の溶融金属めっき設備において、
前記第２の気流の前記外側ノズルでの圧力が、前記第１の気流の前記ワイピングノズルでの圧力より大きい
ことを特徴とする溶融金属めっき設備。
【請求項３】
請求項１又は請求項２に記載の溶融金属めっき設備において、
前記帯板の端部の板幅方向の板端位置を検出する板端検出手段と、
前記外側ノズルを板幅方向に移動する位置変更手段と、
前記板端検出手段で検出された前記板端位置に基づいて、前記位置変更手段を用いて、前記板端位置に対応する位置に前記外側ノズルを移動する制御手段とを更に有する
ことを特徴とする溶融金属めっき設備。
【請求項４】
請求項１から請求項３のいずれか１つに記載の溶融金属めっき設備において、
前記帯板の板厚方向の位置変位を検出する位置変位検出手段と、前記位置変位検出手段で検出された前記位置変位に基づいて電磁力を変更して、前記帯板の板厚方向の位置を一定位置に維持する電磁石とを有する制振装置を更に有し、
前記制振装置に前記ワイピングノズル及び前記外側ノズルを取り付けた
ことを特徴とする溶融金属めっき設備。
【請求項５】
帯板を溶融金属浴に案内した後、上方に案内することにより、前記帯板に溶融金属のめっきを施す溶融金属めっき方法において、
上方に案内された前記帯板の表面側と裏面側に相対向して配置された１対のワイピングノズルを用いて、前記帯板の板幅方向に広がると共に、前記帯板内の第１の衝突点に向けて、第１の気流を吹き付け、
前記ワイピングノズルより上方かつ前記帯板より板幅方向外側の両側方の各々において、前記帯板の板幅方向外側の延長面の表面側と裏面側に相対向して配置された１対の外側ノズルを用いて、前記延長面内かつ前記第１の衝突点より下方の第２の衝突点に向けて、第２の気流をガスカーテンを形成するように吹き付ける
ことを特徴とする溶融金属めっき方法。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
液体容器を荷下ろしする方法であって、
a）移動式装置を準備するステップと、
ここで、該移動式装置は、開閉可能なコンパートメントを有し、該開閉可能なコンパートメントには、前記液体容器を該コンパートメント内に設置することを可能にする少なくとも1つの開閉可能な開放部と、該移動式装置の内部空間に設けられ、前記液体容器と連結可能であり、該液体容器から液体を取り出すために適した荷揚げ設備と、が設けられ、
ここで、前記荷揚げ設備は、前記液体を前記液体容器から頂部を介して抜き取って荷揚げし、該移動式装置の外部に前記液体を移動させるポンプと、前記液体の排出の結果放出される蒸気を除去するために設けられる吸収剤として活性炭を含むカラムと、を含み、ここで前記吸収剤として活性炭を含むカラムは、上部の液体蒸気が捕捉されるように前記液体容器に連結可能であり、
b）該移動式装置のコンパートメント内に液体が充填された液体容器である液体充填容器を準備するステップと、
c）前記液体充填容器を荷揚げ設備に連結するとともに、前記ポンプを前記容器の頂部開口に沿って前記液体充填容器に配置するステップと、
d）液体を前記液体充填容器から抜き取るとともに、該移動式装置の外部に前記液体を移動させるステップと、
e）前記液体充填容器中の液体の移動が完了するまで、吸収手段である活性炭に液体蒸気を吸収することによって連続的に液体蒸気を除去するステップと、
f）前記移動装置に設けられたクレーンで前記液体充填容器又液体容器を巻き上げる、を含む方法。
【請求項２】
こぼれた化学液体（液体薬品ともいう）を回収するために回収トレーが設けられる、請求項1に記載の方法。
【請求項３】
前記コンパートメントはバルク輸送コンテナ（以下コンテナは容器ともいう）である、請求項2に記載の方法。
【請求項４】
前記バルク輸送コンテナは、全面アクセスコンテナである、請求項3に記載の方法。
【請求項５】
前記液体容器は、中型バルク容器（略語IBCともいう）である、請求項1に記載の方法。
【請求項６】
前記ポンプは、ディップパイプに連結されている、請求項1に記載の方法。
【請求項７】
前記液体は、該移動式装置の外部に移動させた後、呼び容積が1 m3の1つの中型バルク容器よりも貯蔵容量が大きい液体容器に回収される、請求項1に記載の方法。
【請求項８】
液体充填容器である液体充填中型バルク容器（液体充填IBCともいう）が連続動作において空にされる、請求項1に記載の方法。
【請求項９】
前記液体が、塩素系液体である、請求項1に記載の方法。
【請求項１０】
前記液体が、塩化ベンジルである、請求項9に記載の方法。
【請求項１１】
前記装置(1)が、さらに、ドリップトレイを含む請求項1に記載の方法。
【請求項１２】
前記ドリップトレイが、耐塩化ベンジルコーティングの施された金属製ドリップトレイである、請求項11に記載の方法。
【請求項１３】
前記ポンプが、自吸式ポンプである、請求項1に記載の方法。
【請求項１４】
前記自吸式ポンプが、ダイヤフラムポンプである、請求項13に記載の方法。
【請求項１５】
前記バルク輸送コンテナが、20フィートコンテナである、請求項4に記載の方法。
【請求項１６】
前記中型バルク容器（IBC）が、寸法1200 mm×1000 mm×1160mmである、請求項5に記載の方法。
【請求項１７】
前記ディップパイプが、ポリエチレンディップチューブである、請求項6に記載の方法。
【請求項１８】
前記ステップb）〜ステップe）を、さらに繰り返す請求項1に記載の方法。
を含む、方法。
【手続補正２】
【補正対象書類名】明細書
【補正対象項目名】００５５
【補正方法】変更
【補正の内容】
【００５５】
試験では、塩化ベンジルの荷揚げに関して1時間当たり約4立方メートル〜10立方メートルの流量が得られた。
（符号の説明）
１：移動式装置、バルク輸送コンテナ、バルク輸送容器
２，３，５：壁
２，２９：２つの入口ドア
４：開閉可能な開放部
４：壁（図３）（縦方向の側壁）
６：ドリップトレイ、回収トレイ(図 1)
７：プラットホーム
８：吸収塔、カラム、吸収手段
９：オフガス用装備
１０〜１２：接続部
１３，１８，１９、２０：遮断弁
１４，１５，１６，１７：パイプセクション
２１：金属板
２２：波形
２３：壁（側壁）
２４：床パネル
２５，２６，２７：支脚
２８：足場（図4）  
２８：ポンプ(図 2) 、抜き取り手段
２９：出入り口
３１：ポンプバレル
３２：接続口
３３，３４，３５：コネクタ
３９：接続部
４０：弁
４１：接続部
４２：接続部（図2）
４２：IBC、液体充填容器(図5)
４３：接続口（図2）
４３：IBC、液体充填容器(図5)
４４、４５：液体容器、液体充填容器
４４，４５：IBC、液体充填IBC
４６、４７、４８，４９：頂部開口
５０：容器床
５１：金属床
５２：容器床
５３、５４，５５、５６：パレット
５７：弁（図 3）
５８〜６３：コーナー
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
可変表示を行い、可変表示の表示結果としてあらかじめ定められた特定表示結果が導出表示されたときに遊技者にとって有利な特定遊技状態に制御する遊技機であって、
操作手段と、
前記操作手段に設けられ、駆動により温度が変化する素子と、
前記素子への通電を制御する制御手段と、
未だ開始条件が成立していない可変表示に関する情報を保留記憶として記憶可能な保留記憶手段と、
前記保留記憶手段に記憶されている保留記憶を保留表示として表示する保留表示手段と、
可変表示の表示結果を前記特定表示結果とするか否かを決定する事前決定手段と、
前記事前決定手段の決定前に、可変表示の表示結果が前記特定表示結果となるか否かを判定する特定判定手段と、を備え、
保留表示の表示態様は、通常態様と、該通常態様とは異なる態様である特殊態様と、該通常態様および該特殊態様とは異なる態様である特別態様とを含み、
前記特定判定手段の判定結果に応じて、異なる割合で該特定判定手段の判定対象となった保留記憶に対応する保留表示を特別態様で表示する保留予告演出を実行可能な演出実行手段をさらに備え、
前記演出実行手段は、複数のタイミングで保留表示を特別態様に変化させて表示することが可能であり、
保留表示の表示態様が変化するか否かを示唆する示唆演出を実行する示唆演出実行手段をさらに備え、
前記示唆演出実行手段は、保留表示が特殊態様で表示されているときには、保留表示が特殊態様で表示されていないときに比べて高い頻度で示唆演出を実行するものであり、
前記制御手段は、示唆演出を実行するときに前記素子を駆動することを特徴とする
遊技機。
【手続補正２】
【補正対象書類名】明細書
【補正対象項目名】００１８
【補正方法】変更
【補正の内容】
【００１８】
（手段３−１）本発明による遊技機は、可変表示（例えば、第１特別図柄や第２特別図柄、演出図柄の変動表示）を行い、可変表示の表示結果としてあらかじめ定められた特定表示結果（例えば、大当り図柄）が導出表示されたときに遊技者にとって有利な特定遊技状態（例えば、大当り遊技状態）に制御する遊技機であって、
操作手段と、
前記操作手段に設けられ、駆動により温度が変化する素子と、
前記素子を駆動する制御手段と、
未だ開始条件が成立していない可変表示について、所定の上限数（例えば、４）を限度に、数値データ抽出手段が抽出した数値データを保留記憶（例えば、第１保留記憶や第２保留記憶）として記憶可能な保留記憶手段（例えば、第１保留記憶バッファや第２保留記憶バッファ）と、
前記保留記憶手段に記憶されている保留記憶を保留表示として表示する保留表示手段（例えば、合算保留記憶表示部１８ｃ）と、
可変表示の表示結果を前記特定表示結果とするか否かを決定する事前決定手段（例えば、遊技制御用マイクロコンピュータ５６０がステップＳ６１，Ｓ６２，Ｓ７３を実行する部分）と、
前記事前決定手段の決定前に、可変表示の表示結果が前記特定表示結果となるか否かを判定する特定判定手段（例えば、遊技制御用マイクロコンピュータ５６０がステップＳ１２１７，Ｓ１２２８を実行する部分）とを備え、
保留表示の表示態様は、通常態様（本例では「○」：図５５（Ａ）参照）と、該通常態様とは異なる態様である特殊態様（本例では「○」の外側に６本の線が描かれている：図５６（Ｂ）参照）と、該通常態様および該特殊態様とは異なる態様である特別態様（本例では「○」内に「×」が含まれる：図５５（Ｂ１）参照、「○」内に「×」が２つ含まれる：図５５（Ｂ２）参照）とを含み、
前記特定判定手段の判定結果に応じて、異なる割合で該特定判定手段の判定対象となった保留記憶に対応する保留表示を特別態様で表示する保留予告演出（例えば、先読み演出）を実行可能な演出実行手段（例えば、演出制御用マイクロコンピュータ１００がステップＳ６７１０６，Ｓ６７１１４，Ｓ１８１３，Ｓ１８４５等を実行する部分。図４２（Ｂ）参照）をさらに備え、
前記演出実行手段は、複数のタイミング（例えば、始動入賞のタイミングや、任意のシフトタイミング、他の任意のタイミングなど）で保留表示を特別態様に変化させて表示することが可能であり、
保留表示の表示態様が変化するか否かを示唆する示唆演出を実行する示唆演出実行手段（例えば、演出制御用マイクロコンピュータ１００がステップＳ６７１１０，Ｓ６７１１５，Ｓ１８０６，Ｓ１８１３，Ｓ１８４５等を実行する部分）をさらに備え、
前記示唆演出実行手段は、保留表示が特殊態様で表示されているときには、保留表示が特殊態様で表示されていないときに比べて高い頻度で示唆演出を実行する（例えば、演出制御用マイクロコンピュータ１００がステップＳ１８０６等を実行する部分。図４８（Ａ），（Ｂ）参照）ものであり、
前記制御手段は、示唆演出を実行するときに前記素子を駆動することを特徴とする。
そのような構成により、複数のタイミングで保留表示を特別態様に変化させて表示することが可能であるため、保留表示の表示態様を変化させるタイミングに多様性を持たせることができるとともに、保留表示が特殊態様で表示されたときには、高い頻度で示唆演出が実行されるため、期待感を高めることでき、遊技興趣を向上させることができる。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
遊技媒体を用いた遊技を行うと共に、遊技の結果に基づいて所定の利益を付与する遊技機であって、
前記遊技機の前面側を構成する前面部材と、
前記前面部材に設けられ、前方に突出する前方突出部と、
前記前方突出部よりも上方から前記前方突出部の所定部位に対して投光する投光手段と、
遊技の進行に基づいて前記投光手段を制御する制御手段と、
を備え、
前記制御手段は、予め定めた条件が成立したことに基づいて、前記前方突出部への投光パターンを変化させる
ことを特徴とする遊技機。
【手続補正２】
【補正対象書類名】明細書
【補正対象項目名】０００７
【補正方法】変更
【補正の内容】
【０００７】
本発明は、
遊技媒体を用いた遊技を行うと共に、遊技の結果に基づいて所定の利益を付与する遊技機であって、
前記遊技機の前面側を構成する前面部材と、
前記前面部材に設けられ、前方に突出する前方突出部と、
前記前方突出部よりも上方から前記前方突出部の所定部位に対して投光する投光手段と、
遊技の進行に基づいて前記投光手段を制御する制御手段と、
を備え、
前記制御手段は、予め定めた条件が成立したことに基づいて、前記前方突出部への投光パターンを変化させる
ことを特徴とする。
また、本発明とは別の発明として、以下の手段を参考的に開示する。
（解決手段１）
遊技媒体を用いた遊技を行うと共に、遊技の結果に基づいて所定の利益を付与する遊技機であって、前記遊技機の前面側を構成する前面部材に設けられる立体的な造形体と、少なくとも前記立体的な造形体の輪郭に合わせた画像を当該立体的な造形体の外方より投影して当該立体的な造形体に映し出すことができる投影手段と、遊技の進行に基づいて前記投影手段を制御する投影制御手段と、を備え、前記投影制御手段は、予め定めた条件が成立したことに基づいて、前記立体的な造形体に映し出す画像を変化させることを特徴とする遊技機。
【手続補正書】
【提出日】平成30年4月18日(2018.4.18)
【手続補正１】
【補正対象書類名】特許請求の範囲
【補正対象項目名】請求項１
【補正方法】変更
【補正の内容】
【請求項１】
払出条件の成立に起因して遊技媒体を所定数毎に分けて払い出す払出装置と、
前記払出装置が遊技媒体を所定数払い出す毎に休止時間を設けて前記払出装置の払出動作の実行を前記休止時間の間停止させる払出休止手段と、
遊技機の異常有無を判断する異常判断手段と、
前記異常判断手段により異常有りと判断されたことを起因に前記払出装置の払出動作の実行を停止する払出停止手段と、
を備える遊技機において、
前記異常判断手段によって遊技機の異常有無を判断するための異常検出手段を備え、
前記異常判断手段は、前記異常検出手段が前記休止時間において前記休止時間よりも短い時間に設定された異常検出時間の間継続して遊技機の異常状態を検出した場合に異常有りと判断して、前記異常検出時間が次の払出が行われる前に経過する場合は前記休止時間経過後の次の払出が行われる前に異常有りの判断を終了させるように構成し、
前記異常判断手段は、前記異常有りと判断した場合、前記異常検出時間及び前記休止時間よりも長い時間に設定された異常解除時間の間継続して遊技機の異常状態を検出しなかった場合に異常解除と判断し、
前記異常検出手段によって異常有無が判断される異常判断は、少なくとも第１の異常判断と第２の異常判断を有し、前記第１の異常判断と第２の異常判断の異常検出時間は異なることを特徴とする遊技機。
【手続補正２】
【補正対象書類名】明細書
【補正対象項目名】０００６
【補正方法】変更
【補正の内容】
【０００６】
請求項１の発明は、払出条件の成立に起因して遊技媒体を所定数毎に分けて払い出す払出装置と、前記払出装置が遊技媒体を所定数払い出す毎に休止時間を設けて前記払出装置の払出動作の実行を前記休止時間の間停止させる払出休止手段と、遊技機の異常有無を判断する異常判断手段と、前記異常判断手段により異常有りと判断されたことを起因に前記払出装置の払出動作の実行を停止する払出停止手段と、を備える遊技機において、前記異常判断手段によって遊技機の異常有無を判断するための異常検出手段を備え、前記異常判断手段は、前記異常検出手段が前記休止時間において前記休止時間よりも短い時間に設定された異常検出時間の間継続して遊技機の異常状態を検出した場合に異常有りと判断して、前記異常検出時間が次の払出が行われる前に経過する場合は前記休止時間経過後の次の払出が行われる前に異常有りの判断を終了させるように構成し、前記異常判断手段は、前記異常有りと判断した場合、前記異常検出時間及び前記休止時間よりも長い時間に設定された異常解除時間の間継続して遊技機の異常状態を検出しなかった場合に異常解除と判断し、前記異常検出手段によって異常有無が判断される異常判断は、少なくとも第１の異常判断と第２の異常判断を有し、前記第１の異常判断と第２の異常判断の異常検出時間は異なることを特徴とする。
【手続補正書】
【提出日】平成30年1月22日(2018.1.22)
【手続補正１】
【補正対象書類名】明細書
【補正対象項目名】０００８
【補正方法】変更
【補正の内容】
【０００８】
［適用例１］
本発明の遊技機（１００）は、遊技盤（１０２）の前面において作動する可動役物（１０９，５８０２）を備えた遊技機（１００）であって、可動役物（１０９，５８０２）とともに移動する回路基板（７１００）と、回路基板（７１００）から延出する配線（７３０１，７３０２）と、配線（７３０１，７３０２）が折れ曲がることを防止するために、回路基板（７１００）における接続点（７１０６，７１０７）の近傍で、弾性体（７３０３ｂ）を用いて固定する固定手段（７３０３，７３０５）と、を備え、固定手段は、両端の孔に締結手段を通して締め付けることにより弾性体の弾性力で配線を固定位置に押し付けて固定する板部材を有するとともに、締結手段によって板部材、基板及び可動役物を共締めして連結可能とされたていることを要旨としている。
［適用例２］
また、配線（７３０１，７３０２）は、フレキシブルフラットケーブルであり、固定手段（７３０３，７３０５）は、フレキシブルフラットケーブル（７３０１，７３０２）の平面側を弾性体（７３０３ｂ）の弾性力で固定位置に押し付けて固定すること要旨としている。
【手続補正２】
【補正対象書類名】特許請求の範囲
【補正対象項目名】全文
【補正方法】変更
【補正の内容】
【特許請求の範囲】
【請求項１】
遊技盤の前面において作動する可動役物を備えた遊技機であって、
前記可動役物とともに移動する回路基板と、
前記回路基板から延出する配線と、
前記配線が折れ曲がることを防止するために、前記回路基板における接続点の近傍で、弾性体を用いて固定する固定手段と、
を備え、前記固定手段は、両端の孔に締結手段を通して締め付けることにより前記弾性体の弾性力で前記配線を固定位置に押し付けて固定する板部材を有するとともに、前記締結手段によって前記板部材、基板及び可動役物を共締めして連結可能とされたことを特徴とする遊技機。
【請求項２】
請求項１に記載の遊技機において、
前記配線は、フレキシブルフラットケーブルであり、
前記固定手段は、前記フレキシブルフラットケーブルの平面側を前記弾性体の弾性力で固定位置に押し付けて固定することを特徴とする遊技機。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
遊技者にとって有利な特別遊技を行うか否かの判定を介して遊技を制御する遊技制御手段と、
遊技に伴って実行される演出を制御する演出制御手段と、
遊技者が操作可能な操作手段と、を備え、
前記演出制御手段は、
前記判定の結果に基づき、前記操作手段の発光態様を、第１発光態様と、前記第１発光態様とは異なり且つ前記第１発光態様よりも前記特別遊技の実行の期待度が高いことを示唆する第２発光態様とを含む複数の発光態様の何れかに制御する発光制御手段と、
前記操作手段の発光態様が前記第１発光態様に制御されているときにおいて、前記操作手段とは異なる演出手段を用い、前記操作手段の発光態様が前記第１発光態様から前記第２発光態様に変化する可能性があることを示唆する示唆演出を実行可能な示唆演出制御手段と、を有して、
前記判定の結果に基づき演出図柄の変動表示を経て前記演出図柄を停止表示させる変動演出を実行し、
前記判定の結果が所定の結果であった場合に特定演出を実行可能であり、
前記示唆演出制御手段は、前記変動演出が実行されているときに前記示唆演出を実行可能であり、
前記発光制御手段は、前記示唆演出の後、前記操作手段の発光態様を、前記第１発光態様から前記第２発光態様に変化させるときと、前記第１発光態様にて維持するときと、があり、
前記示唆演出の後に、前記操作手段の発光態様が前記第２発光態様に変化されたときの方が前記第１発光態様に維持されるときよりも前記特定演出が実行され易い
ことを特徴とする遊技機。
【請求項２】
前記示唆演出が実行される場合、前記特定演出は、前記示唆演出が実行された後であって且つ前記演出図柄の停止表示よりも前の所定のタイミングで実行される
ことを特徴とする請求項１に記載の遊技機。
【請求項３】
前記演出制御手段は、前記変動演出が実行されているときに、前記判定の結果に基づき、前記操作手段の発光態様を前記第２発光態様とする演出とは異なる、前記特別遊技の実行の期待度が高いことを示唆する特別演出を実行可能であり、
前記示唆演出制御手段は、前記特別演出が実行されているときに前記示唆演出を実行可能である
ことを特徴とする請求項１又は２に記載の遊技機。
【請求項４】
前記示唆演出制御手段は、前記特別演出が実行されているときに前記示唆演出を実行するときと、前記特別演出の実行前に前記示唆演出を実行するときと、がある
ことを特徴とする請求項３に記載の遊技機。
【手続補正２】
【補正対象書類名】明細書
【補正対象項目名】０００７
【補正方法】変更
【補正の内容】
【０００７】
本発明に係る遊技機は、遊技者にとって有利な特別遊技を行うか否かの判定を介して遊技を制御する遊技制御手段と、遊技に伴って実行される演出を制御する演出制御手段と、遊技者が操作可能な操作手段と、を備え、前記演出制御手段は、前記判定の結果に基づき、前記操作手段の発光態様を、第１発光態様と、前記第１発光態様とは異なり且つ前記第１発光態様よりも前記特別遊技の実行の期待度が高いことを示唆する第２発光態様とを含む複数の発光態様の何れかに制御する発光制御手段と、前記操作手段の発光態様が前記第１発光態様に制御されているときにおいて、前記操作手段とは異なる演出手段を用い、前記操作手段の発光態様が前記第１発光態様から前記第２発光態様に変化する可能性があることを示唆する示唆演出を実行可能な示唆演出制御手段と、を有して、前記判定の結果に基づき演出図柄の変動表示を経て前記演出図柄を停止表示させる変動演出を実行し、前記判定の結果が所定の結果であった場合に特定演出を実行可能であり、前記示唆演出制御手段は、前記変動演出が実行されているときに前記示唆演出を実行可能であり、前記発光制御手段は、前記示唆演出の後、前記操作手段の発光態様を、前記第１発光態様から前記第２発光態様に変化させるときと、前記第１発光態様にて維持するときと、があり、前記示唆演出の後に、前記操作手段の発光態様が前記第２発光態様に変化されたときの方が前記第１発光態様に維持されるときよりも前記特定演出が実行され易いことを特徴とする。
例えば、前記遊技機において、前記示唆演出が実行される場合、前記特定演出は、前記示唆演出が実行された後であって且つ前記演出図柄の停止表示よりも前の所定のタイミングで実行されて良い。
また例えば、前記遊技機において、前記演出制御手段は、前記変動演出が実行されているときに、前記判定の結果に基づき、前記操作手段の発光態様を前記第２発光態様とする演出とは異なる、前記特別遊技の実行の期待度が高いことを示唆する特別演出を実行可能であって良く、前記示唆演出制御手段は、前記特別演出が実行されているときに前記示唆演出を実行可能であっても良い。
この際例えば、前記遊技機において、前記示唆演出制御手段は、前記特別演出が実行されているときに前記示唆演出を実行するときと、前記特別演出の実行前に前記示唆演出を実行するときと、があって良い。
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
遊技島に設置される外枠に開閉自在に軸支されるとともに遊技盤が装着され得る前面枠と、遊技の進行を制御する遊技制御手段と、を備える遊技機であって、
前記遊技盤又は前記前面枠は、
異常な磁気の発生を検出する異常磁気検出手段
を備え、
前記異常磁気検出手段は、
電源投入時に外部からの要求信号が入力されたか否かにかかわらず前記異常磁気検出手段の周囲環境における磁気状態を基準に設定する第１の基準設定制御手段と、
該第１の基準設定制御手段により前記異常磁気検出手段の周囲環境における磁気状態を基準に設定した後であって前記外部からの要求信号が入力されたことに基づいて当該異常磁気検出手段の周囲環境における磁気状態を基準に再設定する第２の基準設定制御手段と、
を少なくとも有し、
前記遊技制御手段は、前記異常な磁気の発生を検出したか否かを伝える信号が前記異常磁気検出手段から入力されるとともに、前記前面枠が前記外枠から開放された後に当該前面枠が当該外枠へ閉鎖されたことに基づいて前記要求信号を当該異常磁気検出手段に出力し、
前記前面枠が前記外枠に対して閉鎖状態のときに電源投入された場合には、前記第１の基準設定制御手段が実行されて、前記異常磁気検出手段の周囲環境における磁気状態が基準設定され、
前記前面枠が前記外枠に対して開放状態のときに電源投入されて前記第１の基準設定制御手段が実行された場合であっても、当該前面枠が当該外枠へ閉鎖されたことに基づいて前記第２の基準設定制御手段を実行し、前記異常磁気検出手段の周囲環境における磁気状態を基準設定することを特徴とする遊技機。
【手続補正２】
【補正対象書類名】明細書
【補正対象項目名】０００７
【補正方法】変更
【補正の内容】
【０００７】
（解決手段１）
遊技島に設置される外枠に開閉自在に軸支されるとともに遊技盤が装着され得る前面枠と、遊技の進行を制御する遊技制御手段と、を備える遊技機であって、前記遊技盤又は前記前面枠は、異常な磁気の発生を検出する異常磁気検出手段
を備え、前記異常磁気検出手段は、電源投入時に外部からの要求信号が入力されたか否かにかかわらず前記異常磁気検出手段の周囲環境における磁気状態を基準に設定する第１の基準設定制御手段と、該第１の基準設定制御手段により前記異常磁気検出手段の周囲環境における磁気状態を基準に設定した後であって前記外部からの要求信号が入力されたことに基づいて当該異常磁気検出手段の周囲環境における磁気状態を基準に再設定する第２の基準設定制御手段と、を少なくとも有し、前記遊技制御手段は、前記異常な磁気の発生を検出したか否かを伝える信号が前記異常磁気検出手段から入力されるとともに、前記前面枠が前記外枠から開放された後に当該前面枠が当該外枠へ閉鎖されたことに基づいて前記要求信号を当該異常磁気検出手段に出力し、前記前面枠が前記外枠に対して閉鎖状態のときに電源投入された場合には、前記第１の基準設定制御手段が実行されて、前記異常磁気検出手段の周囲環境における磁気状態が基準設定され、前記前面枠が前記外枠に対して開放状態のときに電源投入されて前記第１の基準設定制御手段が実行された場合であっても、当該前面枠が当該外枠へ閉鎖されたことに基づいて前記第２の基準設定制御手段を実行し、前記異常磁気検出手段の周囲環境における磁気状態を基準設定することを特徴とする遊技機。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
識別情報の可変表示を行う可変表示手段を備え、該可変表示手段に導出表示された表示結果に応じて遊技価値を付与するスロットマシンにおいて、
遊技価値が付与されたときに付与された遊技価値を特定可能な付与情報を出力する付与情報出力手段と、
遊技に関する異常を検出する異常検出手段と、
前記異常検出手段に異常が検出されたとき異常情報を出力する異常情報出力手段と、
を備え、
前記異常情報出力手段は、
識別情報の可変表示が実行されていないタイミングで前記異常検出手段により異常が検出された場合、該タイミングから異常情報を出力し、
遊技価値の付与を開始してから該遊技価値の付与を終えるまでの期間内の所定タイミングにおいて前記異常検出手段により異常が検出された場合、該遊技価値の付与が終了した後に異常情報を出力するとともに、該遊技価値の付与に応じて出力される付与情報の出力が完了する以前に、該異常情報の出力を開始する
ことを特徴とするスロットマシン。
【手続補正２】
【補正対象書類名】明細書
【補正対象項目名】０００７
【補正方法】変更
【補正の内容】
【０００７】
（１）識別情報の可変表示を行う可変表示手段（左リール２Ｌ、中リール２Ｃ、右リール２Ｒ）を備え、該可変表示手段に導出表示された表示結果に応じて遊技価値を付与するスロットマシンにおいて、遊技価値が付与されたときに付与された遊技価値を特定可能な付与情報を出力する付与情報出力手段（外部出力基板１０００）と、遊技に関する異常を検出する異常検出手段（メイン制御部４１）と、前記異常検出手段に異常が検出されたとき異常情報を出力する異常情報出力手段（外部出力基板１０００）と、を備え、前記異常情報出力手段は、識別情報の可変表示が実行されていないタイミングで前記異常検出手段により異常が検出された場合、該タイミングから異常情報を出力し、遊技価値の付与を開始してから該遊技価値の付与を終えるまでの期間内の所定タイミングにおいて前記異常検出手段により異常が検出された場合、該遊技価値の付与が終了した後に異常情報を出力するとともに、該遊技価値の付与に応じて出力される付与情報の出力が完了する以前に、該異常情報の出力を開始する（ステップＳｉ１１〜Ｓｉ１２、ステップＳｊ８〜Ｓｊ１０、ステップＳｋ４２０，Ｓｋ４２０１，Ｓｋ４２１，Ｓｋ４２２、図３７）。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
遊技価値を用いて賭数を設定することにより識別情報の可変表示を行う可変表示手段を備え、該可変表示手段に導出表示された表示結果が再遊技を示す場合、新たに遊技価値を用いることなく賭数が設定されるスロットマシンにおいて、
再遊技に応じて賭数が設定されたときに情報を出力する情報出力手段と、
遊技に関する異常を検出する異常検出手段と、
前記異常検出手段に異常が検出されたとき異常情報を出力する異常情報出力手段と、
を備え、
前記異常情報出力手段は、
識別情報の可変表示が実行されていないタイミングで前記異常検出手段により異常が検出された場合、該タイミングから異常情報を出力し、
識別情報の可変表示を開始してから再遊技に応じて賭数が設定されるまでの期間内の所定タイミングにおいて前記異常検出手段により異常が検出された場合、該再遊技に応じた賭数の設定後に異常情報を出力するとともに、該再遊技の賭数設定に応じて出力される情報の出力が完了する以前に、該異常情報の出力を開始する
ことを特徴とするスロットマシン。
【手続補正２】
【補正対象書類名】明細書
【補正対象項目名】０００７
【補正方法】変更
【補正の内容】
【０００７】
（１）遊技価値を用いて賭数を設定することにより識別情報の可変表示を行う可変表示手段（左リール２Ｌ、中リール２Ｃ、右リール２Ｒ）を備え、該可変表示手段に導出表示された表示結果が再遊技を示す場合、新たに遊技価値を用いることなく賭数が設定されるスロットマシンにおいて、
再遊技に応じて賭数が設定されたときに情報を出力する情報出力手段（外部出力基板１０００）と、
遊技に関する異常を検出する異常検出手段（メイン制御部４１）と、
前記異常検出手段に異常が検出されたとき異常情報を出力する異常情報出力手段（外部出力基板１０００）と、
を備え、
前記異常情報出力手段は、
識別情報の可変表示が実行されていないタイミングで前記異常検出手段により異常が検出された場合、該タイミングから異常情報を出力し、
識別情報の可変表示を開始してから再遊技に応じて賭数が設定されるまでの期間内の所定タイミングにおいて前記異常検出手段により異常が検出された場合、該再遊技に応じた賭数の設定後に異常情報を出力するとともに、該再遊技の賭数設定に応じて出力される情報の出力が完了する以前に、該異常情報の出力を開始する（ステップＳｊ３〜Ｓｊ１０、ステップＳｋ４２０，Ｓｋ４２０１，Ｓｋ４２１，Ｓｋ４２２、図３８）。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
イオンビームを加速する加速器と、
前記加速器から出射される前記イオンビームが導かれる照射装置とを備え、
前記照射装置は、前記照射装置の中心軸と交差する方向から加わる力を検知するタッチセンサ装置を含んでいることを特徴とする粒子線照射システム。
【請求項２】
前記照射装置は、回転ガントリーに取り付けられている請求項１に記載の粒子線照射システム。
【請求項３】
前記タッチセンサ装置は、前記照射装置の先端部に設置されている請求項１に記載の粒子線照射システム。
【請求項４】
前記タッチセンサ装置は、前記照射装置の先端部の外周に設けられた丸棒状の接触検出部を備えている請求項３に記載の粒子線照射システム。
【請求項５】
前記照射装置が取り付けられる回転ガントリーを備え、
前記照射装置が側面に位置する、前記タッチセンサ装置である第１タッチセンサ装置を含んでいる請求項１に記載の粒子線照射システム。
【請求項６】
前記第１タッチセンサ装置は、前記照射装置の側壁となり、物体または患者との接触により移動するカバーを含んでいる請求項５に記載の粒子線照射システム。
【請求項７】
前記第１タッチセンサ装置がバランスウェートを含んでいる請求項５に記載の粒子線照射システム。
【請求項８】
前記第１タッチセンサ装置は、前記照射装置の側壁となるカバー、前記カバー及び前記照射装置の筐体部に取り付けられ、前記照射装置の中心軸に垂直な方向における前記カバーの移動を許容する複数のカバー支持装置、及びセンサ部を有し、
それぞれの前記カバー支持装置は、前記筐体部に回転可能に取り付けられ、前記垂直な方向における前記カバーの移動によって前記センサ部を作動させるリンク部材を有する請求項５に記載の粒子線照射システム。
【請求項９】
前記第１タッチセンサ装置の前記カバーは、前記照射装置の旋回方向に面する、前記照射装置の前記側壁である請求項６または８に記載の粒子線照射システム。
【請求項１０】
前記カバー支持装置はバランスウェートを有しており、
前記リンク部材が前記筐体部に取り付けられた軸部材に回転可能に取り付けられ、
前記リンク部材の一端部が前記カバーに回転可能に連結され、
前記バランスウェートが、前記筐体部に面して、前記軸部材を基準にして前記リンク部材の前記一端部とは反対側の、前記リンク部材の他端部に取り付けられる請求項８に記載の粒子線照射システム。
【請求項１１】
前記センサ部は、前記筐体部に保持され、前記リンク部材の前記一端部に対向している請求項１０に記載の粒子線照射システム。
【請求項１２】
第２タッチセンサ装置を備え、
前記照射装置は、前記照射装置の先端部に配置されて前記照射装置の筐体部に取り付けられたコリメータ収納部を含んでおり、
前記第２タッチセンサ装置は、前記コリメータ収納部に保持され、前記照射装置の中心軸方向において前記コリメータ収納部の先端面から離されて配置された接触検出装置を含んでいる請求項５に記載の粒子線照射システム。
【請求項１３】
前記接触検出装置は検出部支持装置によって前記コリメータ収納部に保持される請求項１２に記載の粒子線照射システム。
【請求項１４】
前記検出部支持装置は、前記コリメータ収納部の側面にバネ部材を介して取り付けられる第１支持部材、及び前記接触検出装置に取り付けられて前記第１支持部材に取り付けられる第２支持部材を有する請求項１３に記載の粒子線照射システム。
【請求項１５】
タッチセンサ部を有し、
前記タッチセンサ部は、前記第１支持部材に取り付けられた第１センサ部、及び前記第１センサ部に接触し、前記コリメータ収納部に取り付けられた第２センサ部を有する請求項１４に記載の粒子線照射システム。
【請求項１６】
ガイド部材及び位置決め部材を含むスライド機構を有し、
前記ガイド部材は前記第１支持部材及び前記コリメータ収納部のいずれかに取り付けられ、
前記位置決め部材は、前記ガイド部材が前記第１支持部材に取り付けられているときに前記コリメータ収納部に取り付けられ、または前記ガイド部材が前記コリメータ収納部に取り付けられているときに前記第１支持部材に取り付けられ、
前記位置決め部材が、前記ガイド部材に形成された、内面にガイド面を形成している孔部に挿入されている請求項１４に記載の粒子線照射システム。
【手続補正書】
【提出日】平成30年9月24日(2018.9.24)
【手続補正１】
【補正対象書類名】明細書
【補正対象項目名】全文
【補正方法】変更
【補正の内容】
【発明の詳細な説明】
【発明の名称】ＳＵＲＩＭＩＸ
【技術分野】
【０００１】本発明は、魚肉ねり製品に関するものであり、鯔（ボラ）と豆腐を調合、混合し魚肉ねり製品にしたものである。
【背景技術】
【０００２】従来から、鱈（タラ）を中心とした魚肉ねり製品（ＳＵＲＩＭＩ）が利用されている。この例として冷凍魚肉すり身がある。
【発明が解決しようとする課題】
【０００３】近年、食品原材料の高騰が問題になっている。冷凍魚肉ねり製品を使った製品は多数あり、原材料価格の高騰、変動など不都合を解決することを課題とする。
【課題を解決するための手段】
【０００４】本発明の鯔（ボラ）と豆腐の調合による単独での魚肉ねり製品商品化に成功した。現在利用価値の低い鯔（ボラ）を使用する事により、原材料価格の低下の実現、及び安価販売が可能になった。
【発明の効果】
【０００５】本発明のＳＵＲＩＭＩＸと肉類などとの混合ブレンドすることにより肥満、成人病、健康問題に対応できる商品製造が可能である。また外来魚を使用した魚肉を使用し商品開発にも対応できる。
魚肉すり身（淡水魚・ボラｍｕｌｌｅｔ・サーモン鮭ｓａｌｍｏｎにパプリカパウダー・赤トウガラシパウダーに豆腐を調合、混合し魚肉練り製品としたもの
豆腐と魚肉（淡水魚または海水魚）混合・調合したときのにがりＭｇｃｌ２（塩化マグネシウム）の化学変化（淡水魚特有の臭気がなくなり化学変化を発見した）
【発明を実施するための最良の形態】
【０００６】以下、本発明を実施するための最良の形態について説明する。鯔（ボラ）を３枚におろし、骨と皮を取り除く。その後フードプロセッサーなどで塩、砂糖、小麦粉などを加え通常と同じ方法で魚肉ねり製品とする。その後、豆腐を混合ブレンドしＳＵＲＩＭＩＸとなる。よく撹拌するのがポイントとなる。
及び発明・発見による応用にては  おから・豆乳・豆腐・パプリカパウダー・赤トウガラシパウダーなど液体・ペースト状にてプラスいろいろな食材を調合・実験し１日程度おいてから味を見て変化を確認するなどの実験・試作・発見などが期待される。
豆腐ＴＯＦＵ  ｏｒおから  ｏｒ豆乳  ＋  パプリカパウダー・赤トウガラシパウダー  にプラス＠（いろいろなものを調合・実験）してみる。＝発見・発明＝特有のえぐみ・苦味渋味などがなくなる事がある
（例）タケノコ＋赤トウガラシ＋米ぬかを使用した調理＝水から茹で冷まして１日おくと特有のえぐみ苦味などがなくなる。発見
各国にて豆腐の現地生産が新ビジネスとして大きな期待がもてる（豆腐商品は冷凍保存が不可となり現地生産による商品となりそうだ）
豆腐の製造工程
ダイズ〜洗浄〜浸漬〜磨砕〜生呉〜加熱〜煮呉〜しぼり〜豆乳＋おから〜凝固剤（にがりＭｇｃｌ２塩化マグネシウム〜型入れ〜凝固〜型出し〜水さらしカット＝豆腐完成
となる。
【産業上の利用の可能性】
【０００７】本発明によるＳＵＲＩＭＩＸは大量生産する事が可能であり魚肉練り製品多分野にわたり利用、製品化する事が可能である。また鯔（ボラ）の大量採取可能な地域での活性化が期待できる。
世界的な食材高騰が問題となっている。日本国内にても食材価格が年々高騰しその問題が課題となっている。自己業務における調理師において豆腐・ＴＯＦＵのにがり成分と淡水魚の魚肉を調合し製品としたところ淡水魚特有の臭気がなくなることを発見した。分析の末塩化マグネシウムＭｇｃｌ２が化学変化をおこしていた。大量に採取できる淡水魚（ボラ）（鮭サーモン）などを使用し商品製品化に成功した。国内においては魚肉ソーセージ・かにかま・おでん・魚肉すり身入り玉子焼き（サーモン鮭を使用するとピンク色になる）
また魚肉すり身（ＳＵＲＩＭＩＸ）にサーモン鮭を００％使用するとピンク色のＳＵＲＩＭＩＸが製品となり魚肉練り製品のピンク色の商品ができる。
すでにスーパーなどでも安価に購入できるようになった（情報入手などによる）一般家庭のごはんのおかずとして安価に購入できおでんの練り揚げ物製品はごはんのおかずとして重宝する。各国料理にてはブイヨンスープなどに魚肉練り揚げ物製品を使用し料理商品とすることができる。
食材高騰対策に一役、貢献できた。世界的な食材高騰の面より各国をながれる大河、河口アマゾン川・ナイル川・湖（みずうみ）・など淡水魚が大量に採取できる地域などに大きなビジネスチャンスとして期待がもてる。
こうした化学変化の発見に南米などの塩田が注目され企業が新規事業に乗り出している
塩の精製時に採取できるＭｇｃｌ２塩化マグネシウム（にがり）を生産商法が発生する。
及び魚肉練り製品における油脂を使用した揚げ物練り製品が数年前から多種販売されている。国内食材高騰の問題点に一役成果が達成できた。世界的な食材高騰対策に期待がもてる。各国のスープ料理に魚肉練り製品を使用できる。特に寒冷国の温かいスープ料理として重宝する。